(57)【要約】【課題】身体への密着性が向上したストーマ用パウチ支持ベルトを実現する。【解決手段】ストーマ用パウチ支持ベルト１００においては、短手方向に分断された形状の複数の帯状部１１１と、帯状部１１１の相対する縁部同士を連結している連結部１１２と、からなり、帯状部１１１は面方向に伸縮自在である。かかる構造のストーマ用パウチ支持ベルト１００によれば、利用者の体型や動作によるベルト本体１１０全体のよじれが連結部１１２により低減されるとともに、複数の帯状部１１１が身体の形状に合わせるようにそれぞれ伸縮する。【選択図】図１
2010017226.tif 000002
【特許請求の範囲】
【請求項１】
身体の腹部周りに当接される伸縮性を有する帯状のベルト本体と、
前記ベルト本体の表面に一体形成され、前記ベルト本体を貫通している開口を介して着脱自在にストーマ用パウチを支持する支持部と、
前記ベルト本体の長手方向の一方の端部と他方の端部とを着脱自在にする着脱部と、
を備え、
前記ベルト本体は、
短手方向に分断された形状の複数の帯状部と、
前記帯状部の相対する縁部同士を連結している連結部と、からなり、
前記帯状部は面方向に伸縮自在であることを特徴とするストーマ用パウチ支持ベルト。
【請求項２】
請求項１に記載のストーマ用パウチ支持ベルトにおいて、
前記支持部を含む短い部分と前記支持部を含まない長い部分とに、前記ベルト本体を長手方向に分離自在にする分離部をさらに有することを特徴とするストーマ用パウチ支持ベルト。
【請求項３】
請求項１または２に記載のストーマ用パウチ支持ベルトにおいて、
前記支持部の表面は、撥水性を有することを特徴とするストーマ用パウチ支持ベルト。
【請求項４】
請求項１乃至３いずれかに記載のストーマ用パウチ支持ベルトにおいて、
短手方向に分断された形状の２つの前記帯状部の幅が互いに異なることを特徴とするストーマ用パウチ支持ベルト。
【請求項５】
請求項４に記載のストーマ用パウチ支持ベルトにおいて、
２つの前記帯状部は、短手方向の上側の前記帯状部の幅が下側の前記帯状部の幅よりも小さいことを特徴とするストーマ用パウチ支持ベルト。
【請求項６】
請求項１乃至５いずれかに記載のストーマ用パウチ支持ベルトにおいて、
前記ベルト本体の前記帯状部に複数の貫通孔が形成されていることを特徴とするストーマ用パウチ支持ベルト。
【請求項７】
請求項１乃至５いずれかに記載のストーマ用パウチ支持ベルトにおいて、
前記ベルト本体の前記帯状部は、
相対的に長いスリット状の複数の貫通孔と短いスリット状の複数の補助孔が形成されており、
複数の前記貫通孔が矩形格子に配列されており、
複数の前記補助孔が矩形格子に配列されており、
複数の前記貫通孔と複数の前記補助孔とが相互に千鳥格子に配列されていることを特徴とするストーマ用パウチ支持ベルト。
【請求項８】
請求項１乃至７いずれかに記載のストーマ用パウチ支持ベルトにおいて、
前記分離部は、前記支持部を含む部分の表面であって、長手方向の両端に形成された面ファスナと、前記支持部を含まない部分の裏面であって、長手方向の両端に形成された面ファスナと、が着脱することにより分離自在とすることを特徴とするストーマ用パウチ支持ベルト。
【請求項９】
請求項１乃至８いずれかに記載のストーマ用パウチ支持ベルトにおいて、
複数の前記支持部を含む短い部分を有し、
前記分離部により、一の前記支持部を含む短い部分と、他の前記支持部を含む短い部分とが交換自在であることを特徴とするストーマ用パウチ支持ベルト。
【請求項１０】
請求項１乃至９いずれかに記載のストーマ用パウチ支持ベルトにおいて、
前記連結部は、柔軟性を有する糸が波状に配置され、前記糸により相対する前記帯状部の縁部同士が交互に連結された形状であることを特徴とするストーマ用パウチ支持ベルト。
【請求項１１】
請求項１乃至１０いずれかに記載のストーマ用パウチ支持ベルトにおいて、
前記ベルト本体のＫＥＳ法による曲げ剛性（Ｂ値）が、０以上０．０６以下であることを特徴とするストーマ用パウチ支持ベルト。
【発明の詳細な説明】
【技術分野】
【０００１】
本発明は、ストーマ用パウチ支持ベルトに関する。
【背景技術】
【０００２】
人工肛門や人工膀胱などを身体の腹部に形成することにより排泄を可能とする治療が行われている。このような人工肛門や人工膀胱は自らの意志により排泄を制御できないため、人工肛門や人工膀胱に、排泄物を収容するための袋（パウチ）を装着し、必要に応じて溜まった排泄物をパウチ内から廃棄しなければならない。
【０００３】
また、日常生活に支障をきたさないように、パウチ内には一定量の排泄物を溜めることができると同時に、排泄物が溜まったパウチが身体に安定して装着されなければならない。
【０００４】
そこで、特許文献１では、ストマ用の排泄袋の袋体が挿通可能な穴を設けた補助板が露出すべき窓を設けた帯部と、その裏面で補助板を止着するストマ用腹帯が開示されている。
【特許文献１】特開平７−２５５７６６号公報
【発明の開示】
【発明が解決しようとする課題】
【０００５】
しかしながら、特許文献１に記載されたような腹帯をもちいると、利用者の体型や動作によって腹帯がよじれ、身体と腹帯との密着性が低下するといった問題があった。このため、腹帯に保持されるパウチが安定しなくなる。
【課題を解決するための手段】
【０００６】
本発明によるストーマ用パウチ支持ベルトは、身体の腹部周りに当接される伸縮性を有する帯状のベルト本体と、前記ベルト本体の表面に一体形成され、前記ベルト本体を貫通している開口を介して着脱自在にストーマ用パウチを支持する支持部と、前記ベルト本体の長手方向の一方の端部と他方の端部とを着脱自在にする着脱部と、を備え、前記ベルト本体は、短手方向に分断された形状の複数の帯状部と、前記帯状部の相対する縁部同士を連結している連結部と、からなり、前記帯状部は面方向に伸縮自在であることを特徴とする。
【０００７】
このストーマ用パウチ支持ベルトにおいては、短手方向に分断された形状の複数の帯状部と、前記帯状部の相対する縁部同士を連結している連結部と、からなり、前記帯状部は面方向に伸縮自在である。かかる構造のストーマ用パウチ支持ベルトによれば、利用者の体型や動作によるベルト本体全体のよじれが連結部により低減されるとともに、複数の帯状部が身体の形状に合わせるようにそれぞれ伸縮できる。これにより、身体への密着性が向上したストーマ用パウチ支持ベルトが実現できる。
【発明の効果】
【０００８】
本発明によれば、身体への密着性に優れたストーマ用パウチ支持ベルトが実現される。
【発明を実施するための最良の形態】
【０００９】
以下、図面を参照しつつ、本発明によるストーマ用パウチ支持ベルトの好適な実施形態について詳細に説明する。なお、図面の説明においては、同一要素には同一符号を付し、重複する説明を省略する。
【００１０】
（第１実施形態）
図１は、第１実施形態におけるストーマ用パウチ支持ベルト１００の正面図（ａ）および背面図（ｂ）である。ストーマ用パウチ支持ベルト１００を身体に巻き付けたとき、外側になる面を正面といい、内側になる面（身体側になる面）を背面という。
【００１１】
ストーマ用パウチ支持ベルト１００は、身体の腹部周りに当接される伸縮性を有する帯状のベルト本体１１０と、ベルト本体１１０の表面に一体形成され、ベルト本体１１０を貫通している開口１２１を介して着脱自在にストーマ用パウチを支持する支持部１２０と、ベルト本体１１０の長手方向の一方の端部と他方の端部とを着脱自在にする着脱部１３０と、を備える。
【００１２】
より詳細には、ベルト本体１１０は、短手方向に分断された形状の２つの帯状部１１１（１１１ａ，１１１ｂ）と、帯状部１１１の相対する縁部同士を連結している連結部１１２と、からなる。また、帯状部１１１は面方向に伸縮自在である。
【００１３】
なお、本実施形態において、端部とは、ストーマ用パウチ支持ベルト１００の長さを調節可能とする一定の長さをもった領域を意味する。
【００１４】
図２は、本発明によるストーマ用パウチ支持ベルトのベルト本体１１０の一部を示す拡大平面図である。連結部１１２を介して、２つの帯状部１１１が連結されている。
【００１５】
ベルト本体１１０は、伸縮性を有する織物で形成されている。ベルト本体１１０に用いられる織物は、例えばクロシェット編みによるものが好ましい。これにより、ベルト本体１１０は、略全体が面方向に伸縮自在である。
【００１６】
ベルト本体１１０の素材としては、吸汗・速乾性に優れた材料が用いられる。例えば、「テクノファイン」（旭化成株式会社製）等が好ましい。これにより、発汗時のべとつき感が軽減されると同時に肌触りもやわらかいため、身体への密着がよりし易くなる。
【００１７】
ベルト本体１１０のＫＥＳ法による曲げ剛性（Ｂ値）は、０以上０．０６以下である。これによりストーマ用パウチ支持ベルト１００の装着による不快感が低減され、身体へより密着できる。
なお、ＫＥＳ法とは、「風合い計量と規格化研究委員会」により規格化された、布の基本的力学特性である引張り・せん断、曲げ、圧縮、表面の各特性を測定、数値化する風合い測定機（試験機）を用いる方法である。
【００１８】
連結部１１２は、柔軟性を有する糸１１３が波状に配置され、糸１１３により相対する帯状部１１１ａ、１１１ｂの縁部同士が交互に連結された形状である。すなわち、離間した２つの帯状部１１１ａ、１１１ｂの間を糸１１３がジグザクに配置さており、帯状部１１１ａ、１１１ｂが相対する長手方向へより伸長できる。
【００１９】
これにより、ベルト本体１１０のよじれが低減されるとともに、ベルト本体１１０全体の長手方向への伸縮性を向上できる。
【００２０】
図２に示すように、短手方向に分断された形状の２つの帯状部１１１ａ、１１１ｂは、短手方向の上側の帯状部１１１ａの幅が下側の帯状部１１１ｂの幅よりも小さい。すなわち、２つの帯状部１１１ａ、１１１ｂの幅が互いに異なり、連結部１１２を介して非対称になっている。より好ましくは、例えば、帯状部１１１ａの幅５ｃｍに対し帯状部１１１ｂの幅８ｃｍが挙げられる。
【００２１】
これにより、それぞれの帯状部１１１ａ、１１１ｂが、体型や動作に応じて変形しやすくなり、腹部の形状により密着できる。
【００２２】
図２に示すように、ベルト本体１１０の帯状部１１１は、相対的に長いスリット状の複数の貫通孔１１５と短いスリット状の複数の補助孔１１６が形成されており、複数の貫通孔１１５が矩形格子に配列されており、複数の補助孔１１６が矩形格子に配列されており、複数の貫通孔１１５と複数の補助孔１１６とが相互に千鳥格子に配列されている。
【００２３】
これにより、通気性が向上し、ムレなど不快感を低減できると同時に、強度を保持しつつ特にベルト本体１１０の長手方向への伸縮性をより向上できる。
【００２４】
支持部１２０は、ストーマ用パウチ支持ベルト１００を身体に巻き付けたとき、ストーマ用パウチ支持ベルト１００の外側にストーマ用パウチを支持する。支持部１２０とストーマ用パウチ支持ベルト１００とを貫通する開口１２１にストーマ用パウチの入口が挿通される。これにより、腹部に形成されたストーマから排泄物がストーマ用パウチに溜められる。支持部１２０はストーマ用パウチ支持ベルト１００に一体に形成されているため、ストーマ用パウチ支持ベルト１００が身体に密着することにより、ストーマ用パウチが安定に保持される。
【００２５】
支持部１２０の表面は、撥水性を有する。支持部１２０の表面には、防水布を使用してもよい。
【００２６】
これにより、パウチに溜められた排泄物などによる汚れを低減できるとともに、汚れの拭き取りが簡便にできる。
【００２７】
また、開口１２１は、身体の腹部に形成されたストーマと、ストーマ用パウチの入口との装着を自在とする。開口１２１の大きさは、ストーマの開口の大きさやストーマ用パウチの入口の大きさに合わせて設定されている。
【００２８】
図１（ａ）に示すように、ベルト本体１１０において支持部１２０を含む短い部分１０１の正面の両端には、面ファスナ１３１，１４１が形成されている。
一方、図１（ｂ）に示すように、ベルト本体１１０において支持部１２０を含まない長い部分１０２の背面の両端には、面ファスナ１３２，１４２が形成されている。
【００２９】
着脱部１３０は、ベルト本体１１０の長手方向の一方の端部と他方の端部とを着脱自在にする。すなわち、面ファスナ１３１と面ファスナ１３２とが着脱することにより、ストーマ用パウチ支持ベルト１００の装着ができる。また、面ファスナ１３１と面ファスナ１３２とは、一定領域に形成されているため、ストーマ用パウチ支持ベルト１００の長さを調整することができる。
【００３０】
分離部１４０は、支持部１２０を含む短い部分１０１と支持部１２０を含まない長い部分１０２とに、ベルト本体１１０を長手方向に分離自在にする。
【００３１】
これにより、身体に巻き付いた長いベルト本体１１０全体を取り外すことなく、ベルト本体１１０の一部のみを取り外すことができるため、利便性が向上する。また通常、腹部にストーマが形成されるため、身体の正面側に分離部１４０が位置することにより、ストーマ用パウチ支持ベルト１００の装着やパウチの交換作業がし易くなる。さらに、パウチを装着したままストーマ用パウチ支持ベルト１００の一部を取り外すことができるため、取扱性が向上する。
【００３２】
分離部１４０は、支持部１２０を含む部分１０１の表面（正面）であって、長手方向の端部に形成された面ファスナ１４１と、支持部１２０を含まない部分１０２の裏面（背面）であって、長手方向の端部に形成された面ファスナ１４２と、が着脱することにより分離自在とする。
【００３３】
支持部１２０を含む短い部分１０１は、交換部として機能し、さまざまな径の開口１２１に応じて複数あってもよい。すなわち、交換部には、さまざまな大きさの開口１２１がそれぞれ形成されている。例えば、分離部１４０により、開口径６ｃｍの交換部と、開口径８ｃｍの交換部とが交換自在とすることができる。これにより、交換部を取り替えるだけで、ストーマの開口の大きさに合わせてストーマ用パウチ支持ベルト１００を利用できる。
【００３４】
また、ストーマ用パウチ支持ベルト１００を装着する際、面ファスナ１３１，１４１は、その一部が面ファスナ１３２，１４２とそれぞれ連結し、他の一部が連結されずに正面に露出される場合がある。この場合、露出された面ファスナ１３１，１４１に、ストーマ用パウチを包む布袋を保持させることもできる。すなわち、正面に取り付けられるストーマ用パウチを外側からさらに布袋などによって包む場合、その布袋に面ファスナを取り付け、面ファスナ１３１，１４１と連結させることにより、布袋を保持できる。これにより、より安定にストーマ用パウチが支持できる。
【００３５】
図３は、本発明によるストーマ用パウチ支持ベルトの装着状態を示す斜視図である。図３に示すように、面ファスナ１３１と１３２とが、面ファスナ１４１と１４２とがそれぞれ装着される。また、面ファスナ１３１，１３２，１４１，および１４２により、ストーマ用パウチ支持ベルト１００の長さを調節自在である。
【００３６】
これにより、身体に巻き付けた際、支持部１２０が身体側（内側）となるため、より安定にパウチを保持でき、面ファスナ１３１，１３２，１４１，および１４２により支持部１２０を含む部分１０１の着脱が簡便かつ強固にできる。
【００３７】
本実施形態の効果を説明する。
このストーマ用パウチ支持ベルト１００においては、短手方向に分断された形状の複数の帯状部１１１と、帯状部１１１の相対する縁部同士を連結している連結部１１２と、からなり、帯状部１１１は面方向に伸縮自在である。かかる構造のストーマ用パウチ支持ベルト１００によれば、利用者の体型や動作によるベルト本体１１０全体のよじれが連結部１１２により低減されるとともに、複数の帯状部１１１が身体の形状に合わせるようにそれぞれ伸縮する。これにより、身体への密着性が向上したストーマ用パウチ支持ベルト１００が実現できる。
【００３８】
さらに、上述したように特許文献１に記載されたストマ用腹帯では、ストマ用の排泄袋の袋体が挿通可能な穴を設けた補助板が用いられている。また、この補助板には帯部に止着するための止着具と穴を補強するための芯材が設けられている。そのため、補助板に厚みが生じるという問題があった。これに対し、本実施形態におけるストーマ用パウチ支持ベルト１００は、支持部１２０がベルト本体１１０の表面に一体形成され、ベルト本体１１０を貫通している開口１２１を介してストーマ用パウチを支持している。このため、支持部１２０の厚みを低減することができる。これにより、身体への密着性がより向上できる。またさらに、特に開口１２１周辺の厚みが低減されるため、ストーマ用パウチの入口そのものに厚みがあるタイプでも、そのタイプに因らずストーマ用パウチを使用することができる。
【００３９】
また、ベルト本体１１０は腹部と密着するために、帯状部１１１を短手方向に連結して、全体の幅を広くすることによって、より安定にパウチを支持することができる。
【００４０】
本発明によるストーマ用パウチ支持ベルトは、上記実施形態に限定されるものではなく、様々な変形が可能である。
【００４１】
例えば、図４に示すように、ストーマ用パウチ支持ベルト２００は、分離部１４０を有さず、一連に形成されていてもよい。これにより、ベルト本体１１０の強度が向上できる。
【００４２】
上記実施形態では、帯状部１１１が２つである場合について説明したが、３つ以上であってもよい。また、この場合帯状部１１１の幅は、それぞれ独立に異なっていてもよい。これにより、体型や動きにあわせて身体により密着できるストーマ用パウチ支持ベルトが実現できる。
【図面の簡単な説明】
【００４３】
【図１】第１実施形態におけるストーマ用パウチ支持ベルトの正面図（ａ）および背面図（ｂ）である。
【図２】本発明によるストーマ用パウチ支持ベルトのベルト本体の一部を示す拡大平面図である。
【図３】本発明によるストーマ用パウチ支持ベルトの装着状態を示す斜視図である。
【図４】本実施形態におけるストーマ用パウチ支持ベルトの変形例を示す正面図（ａ）および背面図（ｂ）である。
【符号の説明】
【００４４】
１００        ストーマ用パウチ支持ベルト
２００        ストーマ用パウチ支持ベルト
１０１        部分
１０２        部分
１１０        ベルト本体
１１１        帯状部
１１１ａ    帯状部
１１１ｂ    帯状部
１１２        連結部
１１３        糸
１１５        貫通孔
１１６        補助孔
１２０        支持部
１２１        開口
１３０        着脱部
１３１        面ファスナ
１３２        面ファスナ
１４０        分離部
１４１        面ファスナ
１４２        面ファスナ
【図１】
2010017226.tif 000003
【図２】
2010017226.tif 000004
【図３】
2010017226.tif 000005
【図４】
2010017226.tif 000006